(57)【要約】【課題】長尺で破損しやすい物品の端部を、落下等による大きな衝撃から保護する。【解決手段】角筒体１を形成する外筒部２及び内筒部３と、一端を閉塞する端壁部４を備え、開口端で繋がった外筒部２と内筒部３とを折り重ね、稜線に沿って折り曲げた段ボール製緩衝材において、前記端壁部４を構成するため、外筒部２から延びる部分を折り曲げて外端壁１９を形成し、内筒部３から延出した内端板１２と、その対向部から延びる内端板１１とを外端壁１９の内側に重ね合わせ、内筒部３に設けた突片１３を、外端壁１９の内側の切欠部１４に係合させる。端壁部４の積層構造により緩衝され、内端板１１，１２の宙吊り構造により、物品が落下方向と逆方向へ引っ張られて保持される。また、内側板の突片１３と外端壁１９の切欠部１４との係合により、保形性が向上し、段ボールが折曲部分で破れて宙吊り構造が失われる事態が防止される。【選択図】図５
2014069884.tif 000002
【特許請求の範囲】
【請求項１】
角筒体(1)を形成する外筒部(2)及び内筒部(3)と、一端を閉塞する端壁部(4)を備え、開口端で繋がった外筒部(2)と内筒部(3)とを折り重ね、稜線に沿って折り曲げた段ボール製緩衝材において、前記端壁部(4)を構成するため、外筒部(2)から延びる部分を折り曲げて外端壁(19)を形成し、内筒部(3)から延出した内端板(12)と、その対向部から延びる内端板(11)とを外端壁(19)の内側に重ね合わせ、内筒部(3)に設けた突片(13)を、外端壁(19)の内側の切欠部(14)に係合させたことを特徴とする段ボール製緩衝材。
【発明の詳細な説明】
【技術分野】
【０００１】
この発明は、長尺で破損しやすい物品の端部保護に使用する段ボール製緩衝材に関するものである。
【背景技術】
【０００２】
例えば、瓶の箱詰めに使用する段ボール製緩衝材として、下記特許文献１には、図８に示すように、瓶の外周に沿うような二重構造の角筒体５１を形成する外筒部５２及び内筒部５３と、角筒体５１の底側となる一端部を閉塞して、瓶の底部を受け止める端壁部５４を備えたものが記載されている。
【０００３】
この緩衝材のブランクでは、図９に示すように、外筒部５２及び内筒部５３をそれぞれ構成する部分として、角筒体５１の各面となる外側板５２ａ〜５２ｄ及び内側板５３ａ〜５３ｄが稜線を介して連設され、外側板５２ａ〜５２ｄ及び内側板５３ａ〜５３ｄは、それぞれ開口側の端部となる額縁板５５を介して繋がっている。
【０００４】
外側板５２ａ〜５２ｄの稜部には、長方形の抜窓５６が形成され、内側板５３ａ〜５３ｄの稜部及び隣り合う額縁板５５の間には、切溝５７が設けられると共に、稜線を入れた繋部５８が残されている。
【０００５】
外側板５２ｄ，５２ｂ，５２ａには、額縁板５５の反対側に内端板５９、中端板６０、外端板６１がそれぞれ連設され、外端板６１の先端には、差込片６２が連設されている。
【０００６】
このブランクから緩衝材を組み立てる際には、図１０に示すように、角筒体５１を形成するため、外筒部５２と内筒部５３とを折り重ねて、稜線に沿って折り曲げ、繋部５８を抜窓５６に嵌め込む。そして、端壁部５４を形成するため、内端板５９、中端板６０、外端板６１を順次折り重ね、差込片６２を角筒体５１の内面に沿って差し込む。
【先行技術文献】
【特許文献】
【０００７】
【特許文献１】特許第４０８８８０６号公報
【発明の概要】
【発明が解決しようとする課題】
【０００８】
しかしながら、上記のような緩衝材では、細長く破損しやすい照明器具等の物品を梱包する際、物品の端部に被せた状態で、梱包物が角筒体５１と端壁部５４の稜部や角部から落下すると、端壁部５４が開く方向へ変形し、物品を十分に保護できないおそれがある。
【０００９】
そこで、この発明は、長尺で破損しやすい物品の端部を、落下等による大きな衝撃から確実に保護できるようにすることを課題とする。
【課題を解決するための手段】
【００１０】
上記課題を解決するため、この発明は、角筒体を形成する外筒部及び内筒部と、一端を閉塞する端壁部を備え、開口端で繋がった外筒部と内筒部とを折り重ね、稜線に沿って折り曲げた段ボール製緩衝材において、前記端壁部を構成するため、外筒部から延びる部分を折り曲げて外端壁を形成し、内筒部から延出した内端板と、その対向部から延びる内端板とを外端壁の内側に重ね合わせ、内筒部に設けた突片を、外端壁の内側の切欠部に係合させたのである。
【発明の効果】
【００１１】
この発明に係る段ボール製緩衝材では、長尺の物品の梱包に際し、物品の端部に開口側から被せた状態で、輸送時に梱包物が角筒体と端壁部の稜部や角部から落下したとき、まず、外端壁とこれに重なる内端板とから成る端壁部の積層構造により緩衝される。
【００１２】
次いで、吊り下げられるように支持された内端板の宙吊り構造により、物品が落下方向と逆方向へ引っ張られて保持される。
【００１３】
さらに、内側板の突片と外端壁の切欠部との係合により、保形性が向上し、段ボールが折曲部分で破れて宙吊り構造が失われる事態が防止され、物品の緩衝性が確保される。
【００１４】
このような３段階の緩衝効果で、物品に作用する衝撃を大幅に緩和することができ、長尺で破損しやすい物品の端部を保護することができる。
【図面の簡単な説明】
【００１５】
【図１】この発明に係る段ボール製緩衝材のブランクを示す図
【図２】同上の組立過程を示す平面図
【図３】同上の組立過程を示す斜視図
【図４】同上の組立過程を示す斜視図
【図５】同上の組立状態を示す斜視図
【図６】同上の縦断側面図
【図７】同上の使用状態を示す斜視図
【図８】従来の段ボール製緩衝材の組立状態を示す斜視図
【図９】同上のブランクを示す図
【図１０】同上の組立過程を示す斜視図
【発明を実施するための形態】
【００１６】
以下、この発明の実施形態を添付図面に基づいて説明する。
【００１７】
この段ボール製緩衝材は、図１に示すようなブランクを、図５及び図６に示す形状に組み立てたものであり、重なり合って角筒体１を形成する外筒部２及び内筒部３と、角筒体１の一端部を閉塞する端壁部４を備えたものとされている。
【００１８】
図１に示すブランクにおいて、段ボールの段目方向は縦向きとされ、その方向に配置された外筒部２及び内筒部３は、それぞれ角筒体１の各面となる外側板２ａ〜２ｄ及び内側板３ａ〜３ｅを、押罫の稜線を介して横方向に連設したものとされている。外筒部２の稜線は、段ボールの裏面側から入れた通常の押罫とされ、内筒部３の稜線は、段ボールの表面側から入れた逆罫とされている。
【００１９】
外筒部２では、外側板２ａの一側に外側板２ｂが、他側に外側板２ｃ，２ｄが順次配置され、内筒部３では、内側板３ａの一側に内側板３ｂが、他側に内側板３ｃ〜３ｅが順次配置されている。
【００２０】
外筒部２と内筒部３とは、角筒体１の開口端となる突合側の外側板２ａと内側板３ａの部分において、平行な２本の切目入りリード罫に挟まれた繋部５を介して繋がれ、他の部分では切り離されている。
【００２１】
そして、組立状態における端壁部４の段ボールの積層厚さを考慮して、外側板２ａ〜２ｄの縦方向の寸法は、それぞれ対応する内側板３ａ〜３ｄの縦方向の寸法よりも大きくなっており、各寸法に段差が設けられている。
【００２２】
また、段ボールの厚さに起因する折曲時の周方向の寸法差を考慮して、外側板２ａ〜２ｄの横方向の寸法は、それぞれ対応する内側板３ａ〜３ｄの横方向の寸法よりも少し大きくなっている。
【００２３】
一方、外筒部２と内筒部３の突合側とは反対側において、外筒部２の外側板２ｂ，２ｃには、折込片６，７がそれぞれ連設され、外側板２ａには、外端板８、額縁板９及び中端板１０が順次連設され、外端板２ｄには、内端板１１が連設されている。内筒部３の内側板３ａには、内端板１２が連設されている。
【００２４】
内側板３ｂ，３ｃには、内端板１２寄りに突片１３が設けられ、中端板１０及び内端板１１の先端寄り両側辺には、切欠部１４が設けられている。
【００２５】
内側板３ｄには、端辺から突起１５が設けられている。また、外側板２ｄには、内端板１１への切込により突起１６が設けられ、額縁板９と中端板１０の稜部には、係合穴１７が設けられている。そのほか、外側板２ｄの開放側縁には、解体用として、弧状の切込による指掛部１８が設けられている。
【００２６】
このようなブランクから緩衝材を組み立てるには、まず、図２に示すように、繋部５をヒンジとして、外筒部２の裏側へ内筒部３を折り曲げ、外筒部２と内筒部３とを重ね合わせた状態とする。
【００２７】
次に、図３に示すように、重なり合った外側板２ａと内側板３ａを基準として、外筒部２と内筒部３の両側部分を起こし、内端板１２を起立させ、折込片６，７を内側へ折り曲げて重ね合わせ、外端板８、額縁板９及び中端板１０を巻き込むように折り曲げる。
【００２８】
続いて、内端板１２を一旦内側へ倒して退避させつつ、中端板１０を折込片７と内端板１２との間に挿入した後、内端板１２を復元させ、図４に示すように、折込片６，７を外端板８と中端板１０との間に挟み込んだ外端壁１９を形成する。このとき、内側板３ｂ，３ｃの突片１３が外端壁１９の切欠部１４に係合する。
【００２９】
そして、内側板３ｄ，３ｅを屈曲させつつ、内側板３ｅを内側板３ｂの内面に沿わせ、外側板２ｄから内端板１１を折り曲げ、中端板１０と内端板１２の間に内端板１１を差し込んで、外側板２ｄを閉じるように折り曲げる。
【００３０】
このように組み立てると、図５及び図６に示すように、外筒部２と内筒部３とが重なり合った角筒体１が形成され、外端板８、折込片６，７、中端板１０及び内端板１１，１２が順次重なり合って、端壁部４が６層の積層構造となった緩衝材Ｅが完成する。
【００３１】
この組立状態では、内側板３ｄの突起１５が内端板１２の端縁に沿うと共に、外側板２ｄの突起１６が係合穴１７に嵌まり込み、組立形状が維持される。
【００３２】
このような緩衝材Ｅを使用して、例えば、図７に示すように、蛍光灯代替用のＬＥＤ照明器具のように細長い照明器具Ｌを梱包する際には、対称な形状の緩衝材Ｅを、その開口側から照明器具Ｌの端部に被せ、照明器具Ｌの中間部分に、両端が開放された筒状の段ボール製緩衝材Ｍを巻き付ける。
【００３３】
この梱包で使用する対称な緩衝材Ｅと中間の緩衝材Ｍとは、ブランクにおいて、１枚の段ボールに繋部付きの切目線を介して繋がったものとしておくと、生産効率が向上すると共に、流通過程での保管時の管理が容易となる。また、これらの緩衝材Ｅ，Ｍは、長さの異なる複数種の照明器具Ｌの梱包に兼用できる。
【００３４】
上記のような段ボール製緩衝材Ｅでは、輸送時に梱包物が角筒体１と端壁部４の稜部や角部から落下したとき、まず、外端板８と中端板１０の間に折込片６，７を挟み込んだ外端壁１９と、これに重なる内端板１１，１２とから成る端壁部４の６層に及ぶ積層構造により緩衝される。
【００３５】
次いで、外筒部２から吊り下げられるように支持された内端板１１，１２の宙吊り構造により、照明器具Ｌが落下方向と逆方向へ引っ張られて保持される。
【００３６】
さらに、内側板３ｂ，３ｃの突片１３と外端壁１９の切欠部１４との係合により、保形性が向上し、段ボールの性質上、強度に優れた縦目となる突片１３が折込片７に当接することと相俟って、段ボールが折曲部分で破れて宙吊り構造が失われる事態が防止され、緩衝性が確保されて、破損しやすい照明器具Ｌの端部が確実に保護される。
【００３７】
なお、上記実施形態では、材料として厚手の段ボールを使用したため、外筒部２と内筒部３とを、周方向の寸法差にかかわらず折り曲げられるように、一箇所でのみ繋いだものを例示したが、段ボールが薄手である場合には、段ボールの潰れで周方向の寸法差を吸収できることから、角筒体１の開口側の角部となる部分を除き、外筒部２と内筒部３とが全体的に繋がったものとしてもよい。
【００３８】
また、突片１３を内側板３ｂ，３ｃの端辺の片側に寄せて設けると共に、切欠部１４を中端板１０及び内端板１１の両側辺の先端寄りに設けたが、突片１３及び切欠部１４は、それぞれ内側板３ｂ，３ｃの端辺の中間部並びに中端板１０及び内端板１１の両側辺の中間部に設けてもよい。
【００３９】
また、角筒部１として、四角筒状のものを例示したが、角筒部１は、外側板２ｂ，２ｃ及び内側板３ｃ，３ｄをそれぞれ屈曲した複数の面から形成して、六角筒状や八角筒状のものとしてもよい。
【符号の説明】
【００４０】
１  角筒体
２  外筒部
２ａ〜２ｄ  外側板
３  内筒部
３ａ〜３ｅ  内側板
４  端壁部
５  繋部
６，７  折込片
８  外端板
９  額縁板
１０  中端板
１１，１２  内端板
１３  突片
１４  切欠部
１５，１６  突起
１７  係合穴
１８  指掛部
１９  外端壁
Ｅ，Ｍ  緩衝材
Ｌ  照明器具
【図１】
2014069884.tif 000003
【図２】
2014069884.tif 000004
【図３】
2014069884.tif 000005
【図４】
2014069884.tif 000006
【図５】
2014069884.tif 000007
【図６】
2014069884.tif 000008
【図７】
2014069884.tif 000009
【図８】
2014069884.tif 000010
【図９】
2014069884.tif 000011
【図１０】
2014069884.tif 000012